(57)【要約】      （修正有）【課題】ＭＵーＭＩＭＯ方式で環境変化に応じて、適応的に良好な通信方法を提供する。【解決手段】無線基地局との無線通信を行う無線端末として機能する通信装置で、グループ化されている無線端末局のグループの内、自身が含まれる無線端末局のグループに関する統計情報を解析する解析手段と、統計情報及び解析結果に相関する当該通信装置の制御を行う。【選択図】図６
2014241512.tif 000002
【特許請求の範囲】
【請求項１】
無線基地局との無線通信を行う無線端末局の１つとして機能する通信装置であって、
グループ化されている無線端末局のグループの内、自身が含まれる無線端末局のグループに関する統計情報を解析する解析手段と、
前記統計情報、及び前記解析手段の解析結果に相関する当該通信装置の制御を行う制御手段と
を備えることを特徴とする通信装置。
【請求項２】
前記統計情報は、自身が含まれる無線端末局のグループの数であり、
前記解析手段は、前記グループの数と所定の設定値とを比較することで、前記統計情報を解析する
ことを特徴とする請求項１に記載の通信装置。
【請求項３】
前記制御手段は、前記統計情報、及び前記解析手段の解析結果に相関する通信状態の表示制御を行う
ことを特徴とする請求項１または２に記載の通信装置。
【請求項４】
前記制御手段は、前記統計情報、及び前記解析手段の解析結果に相関する接続制御を行う
ことを特徴とする請求項１乃至３のいずれか１項に記載の通信装置。
【請求項５】
前記統計情報の送信を、他の無線端末局に要求する要求手段を更に備え、
前記解析手段は、前記要求手段の要求に応じて受信する前記統計情報を解析する
ことを特徴とする請求項１乃至４のいずれか１項に記載の通信装置。
【請求項６】
他の無線端末局から、前記統計情報の送信の要求を受信する受信手段と、
前記要求を受信した場合に、前記統計情報を前記他の無線端末局へ送信する送信手段と
を更に備えることを特徴とする請求項１乃至５のいずれか１項に記載の通信装置。
【請求項７】
無線基地局との無線通信を行う無線端末局の１つとして機能する通信装置の制御方法であって、
グループ化されている無線端末局のグループの内、自身が含まれる無線端末局のグループに関する統計情報を解析する解析工程と、
前記統計情報、及び前記解析工程の解析結果に相関する当該通信装置の制御を行う制御工程と
を備えることを特徴とする通信装置の制御方法。
【請求項８】
無線基地局との無線通信を行う無線端末局の１つとして機能する通信装置の制御をコンピュータに機能させるためのプログラムであって、
前記コンピュータを、
グループ化されている無線端末局のグループの内、自身が含まれる無線端末局のグループに関する統計情報を解析する解析手段と、
前記統計情報、及び前記解析手段の解析結果に相関する当該通信装置の制御を行う制御手段と
して機能させることを特徴とするプログラム。
【発明の詳細な説明】
【技術分野】
【０００１】
本発明は、無線通信を行う通信装置及びその制御方法、プログラムに関するものである。
【背景技術】
【０００２】
現在、ＩＥＥＥにおいて、無線ＬＡＮ規格の１つとして、８０２．１１ａｃ規格（草案）が作成されている。この８０２．１１ａｃ規格（草案）では、Ｍｕｌｔｉ−Ｕｓｅｒ  Ｍｕｌｔｉｐｌｅ  Ｉｎｐｕｔ  Ｍｕｌｔｉｐｌｅ  Ｏｕｔｐｕｔ（以下、ＭＵ−ＭＩＭＯ）方式の採用が提案されている（非特許文献１）。
【０００３】
８０２．１１ａｃ規格（草案）のＭＵ−ＭＩＭＯ方式では、無線基地局から無線端末局へのデータ送信について、無線端末局は、干渉の小さいグループにグループ化され、無線基地局から同一グループの無線端末局へのデータ送信が、空間分割多重化され、高速化が図られている。
【０００４】
８０２．１１ａｃ規格（草案）に関連する文献においても、このＭＵ−ＭＩＭＯ方式において、無線端末局が、何れのグループに属し、何れのデータを受信すればよいかを認識する詳細な方式も提案されている（特許文献１、非特許文献２及び非特許文献３）。
【０００５】
図１は、８０２．１１ａｃ規格（草案）のＭＵ−ＭＩＭＯ方式での無線端末局のグループ化の例を示している。
【０００６】
１０１は、無線基地局であり、１０２〜１０７は、無線端末局である。
【０００７】
無線基地局１０１は、無線端末局１０２、１０３、１０５及び１０６への実線で示すデータ送信と、無線端末局１０３、１０４及び１０７への破線で示すデータ送信を、それぞれグループ化している。
【０００８】
図２は、８０２．１１ａｃ規格（草案）のグループＩＤ管理フレームの構成を示している。
【０００９】
グループＩＤ管理フレームは、無線基地局がグループ化したグループ状態を、無線端末局へ通知するために用いられる。無線端末局は、通知されたグループＩＤ管理フレームに基づいて、無線基地局からのデータ送信を受信することができる。
【００１０】
図２のグループＩＤ管理フレームにおいて、２０１は、メンバシップ状態である。２０２は、空間ストリーム位置である。メンバシップ状態２０１及び空間ストリーム位置２０２は、グループＩＤ０〜６３の各グループにそれぞれ設けられている。
【００１１】
メンバシップ状態２０１は、無線端末局が当該のグループに属しているか否かを示すために用いられる１ｂｉｔの領域であり、属していない場合は０、属している場合は１に設定される。
【００１２】
空間ストリーム位置２０２は、無線端末局が当該のグループのどの空間ストリームに割り当てられているかを示すために用いられる２ｂｉｔの領域であり、０〜３の４つの空間ストリームの内の何れかに設定される。
【００１３】
図３は、８０２．１１ａｃ規格（草案）のＭＵ−ＭＩＭＯ方式でのデータ送信の例を示している。
【００１４】
３０１は、グループＩＤである。３０２は、データである。
【００１５】
無線基地局１０１は、無線端末局１０２、１０３、１０５及び１０６への実線で示すデータ送信を、グループＩＤ０のグループとしてグループ化する。そして、無線基地局１０１は、無線端末局１０２、１０３、１０５及び１０６へそれぞれに対するデータ送信を、０〜３の４つの空間ストリームに割り当て、それらを同時多重化する。
【００１６】
また、無線基地局１０１は、無線端末局１０３、１０４及び１０７への破線で示すデータ送信を、グループＩＤ１のグループとしてグループ化する。そして、無線基地局１０１は、そのデータ送信を、無線端末局１０３、１０４及び１０７へそれぞれに対するデータ送信を、０〜２の３つの空間ストリームに割り当て、それらを同時多重化する。
【００１７】
一方、無線端末局１０２〜１０７は、図２のグループＩＤ管理フレームに含まれる情報に基づいて、無線基地局１０１からの同時多重化されたデータ送信について、自分宛ての適切なグループＩＤ、適切な空間ストリーム位置のデータを受信する。
【先行技術文献】
【特許文献】
【００１８】
【特許文献１】米国特許出願公開第２０１１／０００２２１９号明細書
【非特許文献】
【００１９】
【非特許文献１】11-10-1361-03-00ac-proposed-tgac-draft-amendment.docx
【非特許文献２】11-10-0073-02-00ac-group-id-concept-for-dl-mu-mimo.ppt
【非特許文献３】11-10-1288-01-00ac-frame-format-for-groupid-management.pptx
【発明の概要】
【発明が解決しようとする課題】
【００２０】
従来技術では、無線基地局によるグループ化の方法は、他の無線端末局との位置関係もしくは電波伝搬状態等により、無線端末局にとって、必ずしも最適なグループ化がされるとは限らない、という課題がある。
【００２１】
また、グループ化の状態は変化する可能性があり、グループ化の状態の変化によって、無線端末局の通信がどのような状態に変化するかを、ユーザが認識する方法は提供されていない、という課題がある。
【００２２】
また、グループ化の状態の変化によって、無線端末局の通信が悪化する状態に変化しても、これを復旧するための方法は提供されていない、という課題がある。
【００２３】
本発明は上記の課題を解決するためになされたものであり、環境変化に応じて、適応的に良好な通信を実現する通信技術を提供することを目的とする。
【課題を解決するための手段】
【００２４】
上記の目的を達成するための本発明による通信装置は以下の構成を備える。即ち、
無線基地局との無線通信を行う無線端末局の１つとして機能する通信装置であって、
グループ化されている無線端末局のグループの内、自身が含まれる無線端末局のグループに関する統計情報を解析する解析手段と、
前記統計情報、及び前記解析手段の解析結果に相関する当該通信装置の制御を行う制御手段と
を備える。
【発明の効果】
【００２５】
本発明によれば、環境変化に応じて、適応的に良好な通信を実現することができる。
【図面の簡単な説明】
【００２６】
【図１】８０２．１１ａｃ規格（草案）のＭＵ−ＭＩＭＯ方式での無線端末局のグループ化の例を示す図である。
【図２】８０２．１１ａｃ規格（草案）のグループＩＤ管理フレームの構成を示す図である。
【図３】８０２．１１ａｃ規格（草案）のＭＵ−ＭＩＭＯ方式でのデータ送信の例を示す図である。
【図４】本発明を適用できる無線システムの構成を示す図である。
【図５】実施形態１の無線端末局４０２の構成を示す図である。
【図６】実施形態１のグループ解析部５０３の処理を示すフローチャートである。
【図７】実施形態１の表示制御部５０４の処理を示すフローチャートである。
【図８】実施形態１の無線端末局４０２の動作例を示す図である。
【図９】実施形態２の無線端末局４０２の構成を示す図である。
【図１０】実施形態２のグループ解析部９０３の処理を示すフローチャートである。
【図１１】実施形態２の接続制御部９０４の処理を示すフローチャートである。
【図１２】実施形態２の無線端末局４０２の動作例を示す図である。
【図１３】実施形態３の無線端末局４０２の構成を示す図である。
【図１４】実施形態３の無線端末局４０３〜４０７の構成を示す図である。
【図１５】実施形態３のグループ解析部１３０３の処理を示すフローチャートである。
【図１６】実施形態３の表示制御部１３０４の処理を示すフローチャートである。
【図１７】実施形態３のグループ通知部１４０３の処理を示すフローチャートである。
【図１８】実施形態３の無線端末局４０２の動作例を示す図である。
【発明を実施するための形態】
【００２７】
以下、本発明の実施の形態について図面を用いて詳細に説明する。
【００２８】
＜実施形態１＞
以下、図４〜図８を参照して、実施形態１を説明する。
【００２９】
図４は、本発明を適用できる無線システムの構成を示している。
【００３０】
４０１は、通信装置の１つである無線基地局である。無線基地局４０１は、８０２．１１ａｃ規格に対応し、同じく８０２．１１ａｃ規格に対応した無線端末局を収容する周知の機能を有する。
【００３１】
４０２〜４０７は、通信装置の１つであり、本発明を適用できる無線端末局である。無線端末局４０２〜４０７は、８０２．１１ａｃ規格に対応し、同じく８０２．１１ａｃ規格に対応した無線基地局に収容されることによって、他の無線端末局、無線基地局もしくは無線基地局と有線接続された有線端末局（不図示）と通信する周知の機能を有する。
【００３２】
図５は、実施形態１の無線端末局４０２の構成を示している。
【００３３】
５０１は、端末局機能部である。端末局機能部５０１は、周知のＣＰＵ、メモリ、キーボード、表示部（例えば、液晶画面）、これらを制御するプログラム等の構成要素で構成される。そして、端末局機能部５０１は、プログラム及びデータの保持、ユーザ操作に応じて情報処理を行い、結果を保存・表示する等の端末局機能を実現する。
【００３４】
５０２は、無線通信部である。無線通信部５０２は、周知の無線チップ、アンテナ及びこれらを制御するプログラム等の構成要素で構成され、８０２．１１ａｃ規格に対応した無線通信を実現する。
【００３５】
５０３は、グループ解析部である。グループ解析部５０３は、端末局機能部５０１が実行するプログラムによって実現され、無線通信部５０２で実現される無線通信に基づいて、８０２．１１ａｃ規格のグループの解析を行う。尚、グループ解析部５０３は、ソフトウェア（プログラム）でなく、専用のハードウェアで実現されても良い。グループ解析部５０３の処理の詳細については、図６で説明する。
【００３６】
５０４は、表示制御部である。表示制御部５０４は、端末局機能部５０１が実行するプログラムによって実現され、グループ解析部５０３の解析結果に基づいて、表示部に対する表示制御を行う。尚、表示制御部５０４は、ソフトウェア（プログラム）でなく、専用のハードウェアで実現されても良い。表示制御部５０４の処理の詳細については、図７で説明する。
【００３７】
図６は、実施形態１のグループ解析部５０３の処理を示している。
【００３８】
この処理は、無線端末局４０２にて、例えば、端末局機能部５０１及び無線通信部５０２が実現する機能によって、ユーザが無線通信を有効にして動作を始めた場合に開始される。
【００３９】
処理が開始されると、グループ解析部５０３は、解析を行う際に使用するグループ数の閾値を読み込む（ステップＳ６０１）。
【００４０】
次に、グループ解析部５０３は、無線基地局４０１から送信されるグループＩＤ管理フレームを無線通信部５０２が受信することを待機する（ステップＳ６０２）。
【００４１】
次に、グループ解析部５０３は、グループＩＤ管理フレームを受信すると、これを解析し、メンバシップ状態が１であるグループＩＤの数、つまり、無線端末局４０２が所属しているグループ数をカウントする（ステップＳ６０３）。
【００４２】
次に、グループ解析部５０３は、ステップＳ６０３でカウントしたグループ数とステップＳ６０１で読み込んだ閾値を比較する（ステップＳ６０４）。
【００４３】
次に、比較の結果、カウントしたグループ数が閾値以上である場合（ステップＳ６０４でＹＥＳ）、グループ解析部５０３は、表示制御部５０４に、グループ数が大きい場合の表示制御を指示する（ステップＳ６０５）。その後、ステップＳ６０２に戻る。
【００４４】
一方、比較の結果、カウントしたグループ数が閾値未満である場合（ステップＳ６０４でＮＯ）、グループ解析部５０３は、表示制御部５０４に、グループ数が小さい場合の表示制御を指示する（ステップＳ６０６）。その後、ステップＳ６０２に戻る。
【００４５】
図７は、実施形態１の表示制御部５０４の処理を示している。
【００４６】
この処理は、無線端末局４０２にて、例えば、端末局機能部５０１及び無線通信部５０２が実現する機能によって、ユーザが無線通信を有効にして動作を始めた場合に開始される。
【００４７】
処理が開始されると、表示制御部５０４は、グループ解析部５０３からの表示制御の指示を待機する（ステップＳ７０１）。
【００４８】
次に、表示制御部５０４は、表示制御の指示が、グループ数が大きい場合の指示であるか、小さい場合の指示であるかを判断する（ステップＳ７０２）。
【００４９】
次に、判断の結果、グループ数が大きい場合の指示である場合（ステップＳ７０２でＹＥＳ）、表示制御部５０４は、無線端末局４０２の下り方向の通信と使用されている場所が良好である旨を示す情報を、端末局機能部５０１で実現される機能を利用して、表示部に表示する（ステップＳ７０３）。その後、ステップＳ７０１に戻る。
【００５０】
一方、判断の結果、グループ数が小さい場合の指示である場合（ステップＳ７０２でＮＯ）、表示制御部５０４は、無線端末局４０２の下り方向の通信と使用されている場所が良好でない旨を示す情報を、端末局機能部５０１で実現される機能を利用して、表示部に表示する（ステップＳ７０４）。その後、ステップＳ７０１に戻る。
【００５１】
図８は、実施形態１の無線端末局４０２の動作例を示している。
【００５２】
例えば、無線端末局４０２のグループ解析部５０３の閾値が「２」に設定されていたとする。このとき、無線端末局４０２が、例えば、そのユーザが移動することで、破線で示す場所から実線で示す場所に移動したとする。また、このとき、無線端末局４０２の属するグループ数が「１」から「２」に変化したとする。更に、このとき、無線端末局４０２は、無線基地局４０１から、グループの状態の変化に伴って、グループＩＤ管理フレームを受信したとする。
【００５３】
この場合、無線端末局４０２では、グループ解析部５０３にて、グループ数が閾値以上である解析がなされ、表示制御部５０４にて、下り方向の通信、及び場所が良好である旨の情報８０１が表示部に表示される。この結果、ユーザは、そのままの場所で、無線端末局４０２を使用するよう留意することができる。
【００５４】
以上説明したように、実施形態１によれば、グループ化の状態の変化によって、無線端末局の通信がどのような状態に変化するかを通知することで、ユーザがその変化を認識し易くすることができる。
【００５５】
より具体的には、マルチユーザＭＩＭＯグループのグループ数を監視して、ユーザにその監視結果を通知するので、使用時に、通信帯域の大小、増減の観点で、適したグループ化がされているか否かの確認の容易性を高めることができる。
【００５６】
＜実施形態２＞
以下、図９〜図１２を参照して、実施形態２を説明する。
【００５７】
図９は、実施形態２の無線端末局４０２の構成を示している。
【００５８】
９０１は、端末局機能部である。端末局機能部９０１は、周知のＣＰＵ、メモリ、キーボード、表示部（例えば、液晶画面）、これらを制御するプログラム等の構成要素で構成される。そして、端末局機能部９０１は、プログラム及びデータの保持、ユーザ操作に応じて情報処理を行い、結果を保存・表示する等の端末局機能を実現する。
【００５９】
９０２は、無線通信部である。無線通信部９０２は、周知の無線チップ、アンテナ及びこれらを制御するプログラム等の構成要素で構成され、８０２．１１ａｃ規格に対応した無線通信を実現する。
【００６０】
９０３は、グループ解析部である。グループ解析部９０３は、端末局機能部９０１が実行するプログラムによって実現され、無線通信部９０２で実現される無線通信に基づいて、８０２．１１ａｃ規格のグループの解析を行う。尚、グループ解析部９０３は、ソフトウェア（プログラム）でなく、専用のハードウェアで実現されても良い。グループ解析部９０３の処理の詳細については、図１０で説明する。
【００６１】
９０４は、接続制御部である。接続制御部９０４は、端末局機能部９０１が実行するプログラムによって実現され、グループ解析部９０３の解析結果に基づいて、接続制御を行う。尚、接続制御部９０４は、ソフトウェア（プログラム）でなく、専用のハードウェアで実現されても良い。接続制御部９０４の処理の詳細については、図１１で説明する。
【００６２】
図１０は、実施形態２のグループ解析部９０３の処理を示している。
【００６３】
この処理は、無線端末局４０２にて、例えば、端末局機能部９０１及び無線通信部９０２が実現する機能によって、ユーザが無線通信を有効にして動作を始めた場合に開始される。
【００６４】
処理が開始されると、グループ解析部９０３は、解析を行う際に使用するグループ数の前回値を０に初期化する（ステップＳ１００１）。
【００６５】
次に、グループ解析部９０３は、無線基地局４０１から送信されるグループＩＤ管理フレームを無線通信部９０２が受信することを待機する（ステップＳ１００２）。
【００６６】
次に、グループ解析部９０３は、グループＩＤ管理フレームを受信すると、これを解析し、メンバシップ状態が１であるグループＩＤの数、つまり、無線端末局４０２が所属しているグループ数をカウントする（ステップＳ１００３）。
【００６７】
次に、グループ解析部９０３は、ステップＳ１００４でカウントしたグループ数とステップＳ１００１で初期化した前回値を比較する（ステップＳ１００４）。
【００６８】
次に、比較の結果、カウントしたグループ数が前回値以上である場合（ステップＳ１００４でＹＥＳ）、グループ解析部９０３は、接続制御部９０４に、グループ数が増加した場合の接続制御を指示する（ステップＳ１００５）。次に、グループ解析部９０３は、前回値を、今回カウントしたグループ数に更新する（ステップＳ１００７）。その後、ステップＳ１００２に戻る。
【００６９】
一方、比較の結果、カウントしたグループ数が前回値未満である場合（ステップＳ１００４でＮＯ）、グループ解析部９０３は、接続制御部９０４に、グループ数が減少した場合の接続制御を指示する（ステップＳ１００６）。その後、ステップＳ１００７の処理を経て、ステップＳ１００２に戻る。
【００７０】
図１１は、実施形態２の接続制御部９０４の処理を示している。
【００７１】
この処理は、無線端末局４０２にて、例えば、端末局機能部９０１及び無線通信部９０２が実現する機能によって、ユーザが無線通信を有効にして動作を始めた場合に開始される。
【００７２】
処理が開始されると、接続制御部９０４は、グループ解析部９０３からの接続制御の指示を待機する（ステップＳ１１０１）。
【００７３】
次に、接続制御部９０４は、接続制御の指示が、グループ数が増加した場合の指示であるか、減少した場合の指示であるかを判断する（ステップＳ１１０２）。
【００７４】
次に、判断の結果、グループ数が増加した場合の指示である場合（ステップＳ１１０２でＹＥＳ）、接続制御部９０４は、無線端末局４０２の下り方向の通信が良好であり、接続を維持するべきと判断する。この場合、接続制御部９０４は、無線通信部９０２に対して、再接続を指示せずに、接続を維持する（ステップＳ１１０３）。その後、ステップＳ１１０１に戻る。
【００７５】
一方、判断の結果、グループ数が減少した場合の指示である場合（ステップＳ１１０２でＮＯ）、接続制御部９０４は、無線端末局４０２の下り方向の通信が良好でなく、再接続が必要であると判断する。この場合、接続制御部９０４は、無線通信部９０２に対して、再接続を指示して、再接続を実行する（ステップＳ１１０４）、その後、ステップＳ１１０１に戻る。
【００７６】
図１２は、実施形態２の無線端末局４０２の動作例を示している。
【００７７】
無線端末局４０２が、例えば、そのユーザが移動することで、破線で示す場所から実線で示す場所に移動したとする。また、このとき、無線端末局４０２の属するグループ数が「２」から「１」に変化したとする。更に、このとき、無線端末局４０２は、無線基地局４０１から、グループの状態の変化に伴って、グループＩＤ管理フレームを受信したとする。
【００７８】
この場合、無線端末局４０２では、グループ解析部９０３にて、グループ数が減少した解析がなされ、接続制御部９０４にて、下り方向の通信が良好でなく、再接続が必要であるとみなされ、無線通信部９０２にて、再接続１２０１が実行される。この結果、グループ数が、再び１から２に戻る等、グループの状態がさらに変化することを想定することができる。
【００７９】
以上説明したように、実施形態２によれば、グループ化の状態の変化によって、再接続を適応的に実行することで、無線端末局の通信が悪化する状態に変化しても、これを復旧する可能性を高めることができる。
【００８０】
より具体的には、マルチユーザＭＩＭＯグループのグループ数を監視して、再接続を行うようにしたので、使用時に、通信帯域の大小、増減の観点で、適したグループ化がされる可能性を高めることができる。
【００８１】
＜実施形態３＞
以下、図１３〜図１８を参照して、実施形態３を説明する。
【００８２】
図１３は、実施形態３の無線端末局４０２の構成を示している。
【００８３】
１３０１は、端末局機能部である。端末局機能部１３０１は、周知のＣＰＵ、メモリ、キーボード、表示部（例えば、液晶画面）、これらを制御するプログラム等の構成要素で構成される。そして、端末局機能部１３０１は、プログラム及びデータの保持、ユーザ操作に応じて情報処理を行い、結果を保存・表示する等の端末局機能を実現する。
【００８４】
１３０２は、無線通信部である。無線通信部１３０２は、周知の無線チップ、アンテナ及びこれらを制御するプログラム等の構成要素で構成され、８０２．１１ａｃ規格に対応した無線通信を実現する。
【００８５】
１３０３は、グループ解析部である。グループ解析部１３０３は、端末局機能部１３０１が実行するプログラムによって実現され、無線通信部１３０２で実現される無線通信に基づいて、８０２．１１ａｃ規格のグループの解析を行う。尚、グループ解析部１３０３は、ソフトウェア（プログラム）でなく、専用のハードウェアで実現されても良い。グループ解析部１３０３の処理の詳細については、図１５で説明する。
【００８６】
１３０４は、表示制御部である。表示制御部１３０４は、端末局機能部１３０１が実行するプログラムによって実現され、グループ解析部１３０３の解析結果に基づいて、表示部に対する表示制御を行う。尚、表示制御部１３０４は、ソフトウェア（プログラム）でなく、専用のハードウェアで実現されても良い。表示制御部１３０４の処理の詳細については、図１６で説明する。
【００８７】
図１４は、実施形態３の無線端末局４０３〜４０７の構成を示している。
【００８８】
１４０１は、端末局機能部である。端末局機能部１４０１は、周知のＣＰＵ、メモリ、キーボード、表示部（例えば、液晶画面）、これらを制御するプログラム等の構成要素で構成される。そして、端末局機能部１４０１は、プログラム及びデータの保持、ユーザ操作に応じて情報処理を行い、結果を保存・表示する等の端末局機能を実現する。
【００８９】
１４０２は、無線通信部である。無線通信部１４０２は、周知の無線チップ、アンテナ及びこれらを制御するプログラム等の構成要素で構成され、８０２．１１ａｃ規格に対応した無線通信を実現する。
【００９０】
１４０３は、グループ通知部である。グループ通知部１４０３は、端末局機能部１３０１が実行するプログラムによって実現される。グループ通知部１４０３は、無線通信部１４０２で実現される無線通信に基づいて、８０２．１１ａｃ規格のグループの解析を行い、無線通信局４０２からのグループ通知要求に応じて、グループ通知を行う。尚、グループ通知部１４０３は、ソフトウェア（プログラム）でなく、専用のハードウェアで実現されても良い。グループ通知部１４０３の処理の詳細については、図１７で説明する。
【００９１】
図１５は、実施形態３のグループ解析部１３０３の処理を示している。
【００９２】
この処理は、無線端末局４０２にて、例えば、端末局機能部１３０１及び無線通信部１３０２が実現する機能によって、ユーザが無線通信を有効にして動作を始めた場合に開始される。
【００９３】
処理が開始されると、グループ解析部１３０３は、無線基地局４０１から送信されるグループＩＤ管理フレームを無線通信部１３０２が受信することを待機する（ステップＳ１５０１）。
【００９４】
次に、グループ解析部１３０３は、グループＩＤ管理フレームが受信すると、これを解析し、メンバシップ状態が１であるグループＩＤの数、つまり、無線端末局４０２が所属しているグループ数をカウントする（ステップＳ１５０２）。
【００９５】
次に、グループ解析部１３０３は、無線基地局４０１が収容する無線端末局４０３〜４０７に対して、無線通信部１３０２を介して、同報通信にて、グループ通知要求を送信する（ステップＳ１５０３）。
【００９６】
次に、グループ解析部１３０３は、一定期間、無線端末局４０３〜４０７から送信されるグループ通知を無線通信部１３０２を介して受信することを待機する（ステップＳ１５０４）。
【００９７】
次に、グループ解析部１３０３は、一定期間内に受信した無線端末局４０３〜４０７全てまたは何れかからのグループ通知の数と、このグループ通知にて取得する各無線端末局が所属しているグループ数とから、他の無線端末局１台あたりが所属するグループ数の平均値を算出する（ステップＳ１５０５）。
【００９８】
次に、グループ解析部１３０３は、ステップＳ１５０２でカウントしたグループ数とステップＳ１５０５で算出した平均値を比較する（ステップＳ１５０６）。
【００９９】
次に、比較の結果、カウントしたグループ数が平均値以上である場合（ステップＳ１５０６でＹＥＳ）、グループ解析部１３０３は、表示制御部１３０４に、グループ数が大きい場合の表示制御を指示する（ステップＳ１５０７）。その後、ステップＳ１５０１に戻る。
【０１００】
一方、比較の結果、カウントしたグループ数が平均値未満である場合（ステップＳ１５０６でＮＯ）、グループ解析部１３０３は、表示制御部１３０４に、グループ数が小さい場合の表示制御を指示する（ステップＳ１５０８）。その後、ステップＳ１５０１に戻る。
【０１０１】
図１６は、実施形態３の表示制御部１３０４の処理を示している。
【０１０２】
この処理は、無線端末局４０２にて、例えば、端末局機能部１３０１及び無線通信部１３０２が実現する機能によって、ユーザが無線通信を有効にして動作を始めた場合に開始される。
【０１０３】
処理が開始されると、表示制御部１３０４は、グループ解析部１３０３からの表示制御の指示を待機する（ステップＳ１６０１）。
【０１０４】
次に、表示制御部１３０４は、表示制御の指示が、グループ数が大きい場合の指示であるか、小さい場合の指示であるかを判断する（ステップＳ１６０２）。
【０１０５】
次に、判断の結果、グループ数が大きい場合の指示である場合（ステップＳ１６０２でＹＥＳ）、表示制御部１３０４は、無線端末局４０２の下り方向の通信と使用されている場所が良好な旨を示す情報を、端末局機能部１３０１で実現される機能を利用して、表示部に表示する（ステップＳ１６０３）。その後、ステップＳ１６０１に戻る。
【０１０６】
一方、判断の結果、グループ数が小さい場合の指示である場合（ステップＳ１６０２でＮＯ）、表示制御部１３０４は、無線端末局４０２の下り方向の通信と使用されている場所が良好でない旨を示す情報を、端末局機能部１３０１で実現される機能を利用して、表示部に表示する（ステップＳ１６０４）。その後、ステップＳ１６０１に戻る。
【０１０７】
図１７は、実施形態３のグループ通知部１４０３の処理を示している。
【０１０８】
この処理は、無線端末局４０３〜４０７にて、例えば、端末局機能部１４０１及び無線通信部１４０２が実現する機能によって、ユーザが無線通信を有効にして動作を始めた場合に開始される。
【０１０９】
処理が開始されると、グループ通知部１４０３は、無線基地局４０１から送信されたグループＩＤ管理フレームを無線通信部１４０２が受信することを待機する（ステップＳ１７０１）。
【０１１０】
次に、グループ通知部１４０３は、グループＩＤ管理フレームを受信すると、これを解析し、メンバシップ状態が１であるグループＩＤの数、つまり、無線端末局４０３〜４０７が所属しているグループ数をカウントする（ステップＳ１７０２）。
【０１１１】
次に、グループ通知部１４０３は、無線端末局４０２から送信されるグループ通知要求を無線通信部１４０２を介して受信することを待機する（ステップＳ１７０３）。
【０１１２】
次に、グループ通知部１４０３は、グループ通知要求を受信すると、無線端末局４０２に対して、カウントしたグループ数の情報を含めて、無線通信部１３０２を介して、グループ通知を送信する（ステップＳ１７０４）。その後、ステップＳ１７０１に戻る。
【０１１３】
図１８は、実施形態３の無線端末局４０２の動作例を示している。
【０１１４】
無線端末局４０２が、例えば、そのユーザが移動することで、破線で示す場所から実線で示す場所に移動したとする。また、このとき、無線端末局４０２の属するグループ数が「２」から「１」に変化したとする。更に、このとき、無線端末局４０２は、無線基地局４０１から、グループの状態の変化に伴って、グループＩＤ管理フレームを受信したとする。
【０１１５】
この場合、無線端末局４０２では、グループ解析部１３０３にて、グループ数が平均値以上である解析がなされ、表示制御部１３０４にて、下り方向の通信及び場所が良好である旨の情報１８１０が表示部に表示される。この結果、ユーザは、そのままの場所で、無線端末局４０２を使用するよう留意することができる。
【０１１６】
以上説明したように、実施形態３によれば、グループ化の状態の変化によって、無線端末局の通信がどのような状態に変化するかを通知することで、ユーザがその変化を認識し易くすることができる。
【０１１７】
＜実施形態４＞
上述の実施形態１乃至３は、本発明の実施形態の一部であり、これらに限定されるものではない。
【０１１８】
例えば、実施形態１〜３において、無線端末局が受信したグループＩＤ管理フレームを解析し、自身が所属しているグループ数をカウントしているが、これに限定されない。例えば、図３で示す無線基地局からのデータ送信を監視して解析し、グループ数をカウントしてもよい。また、例えば、他の無線端末局の応答を監視して解析し、グループ数をカウントしてもよい。
【０１１９】
また、実施形態１〜３において、無線端末局が、例えば、統計情報として自身が所属しているグループ数を解析しているが、これに限定されない。例えば、自身が所属しているグループの送信時間、帯域、送信周期等の統計情報を解析するようにしてもよい。
【０１２０】
また、実施形態１において、無線端末局が、例えば、自身が所属しているグループ数と、あらかじめ定めた閾値とを比較しているが、これに限定されない。例えば、あらかじめ定めた閾値でなく、ユーザが指定した値と比較してもよいし、設置時の値等の、ある状態での値と比較してもよい。いずれにしても、グループ数と所定の設定値とを比較する。
【０１２１】
また、実施形態３において、無線端末局が、例えば、自身が所属しているグループ数と、他の無線端末局が所属しているグループ数の平均値とを比較しているが、これに限定されない。例えば、平均値でなく、最大値または最小値と比較するようにしてもよい。
【０１２２】
また、無線端末局が、例えば、他の無線端末局が所属している全てのグループに自身も所属しているか、もしくは、他の無線端末局が所属している特定の一部のグループ、例えば、特定の無線端末局が所属しているグループに自身も所属しているか等で判断してもよい。
【０１２３】
また、無線端末局が、例えば、無線システムでグループ化されている全てのグループ、もしくは、特定の一部のグループの総和の内の、自身が所属しているグループ数の割合で、判断してもよい。
【０１２４】
また、無線端末局が、例えば、他の無線端末局の所属しているグループ数のみ解析するようにし、自身が所属しているグループ数は解析しなくてもよい。
【０１２５】
また、解析する場合は、解析を実施できる統計情報が得られるのであれば、物理層のヘッダを解析してもよいし、アプリケーション層で統計情報を共有するプロトコルを定義し、これに従って解析してもよい。
【０１２６】
また、実施形態１及び３において、無線端末局が、解析に応じて、表示制御を行う場合に、文字列を表示するようにしているが、これに限定されない。例えば、記号等のその他の画像の表示でもよいし、表示でなく、音声出力制御としてもよいし、それらの組み合わせあっても良い。
【０１２７】
また、実施形態２において、無線端末局が、例えば、解析に応じて、接続制御を行う場合に、再接続または接続を維持するようにしているが、これに限定されない。例えば、自身が送信するデータサイズを調節する等、無線基地局のグループ化や無線基地局とのデータ送受信に相関する設定を変更するようにしてもよい。
【０１２８】
このように、本発明では、統計情報及び解析結果に相関する無線端末局の制御（通信状態の表示制御、接続制御）を行う。
【０１２９】
また、実施形態１乃至３の構成を任意に組み合わせて、統計情報及び解析結果に相関する無線端末局の制御（通信状態の表示制御、接続制御）を行うようにしても良い。
【０１３０】
尚、本発明は、以下の処理を実行することによっても実現される。即ち、上述した実施形態の機能を実現するソフトウェア（プログラム）を、ネットワーク又は各種記憶媒体を介してシステムまたは装置に供給し、そのシステムまたは装置のコンピュータ（またはＣＰＵやＭＰＵ等）がプログラムを読み出して実行する処理である。
【図１】
2014241512.tif 000003
【図２】
2014241512.tif 000004
【図３】
2014241512.tif 000005
【図４】
2014241512.tif 000006
【図５】
2014241512.tif 000007
【図６】
2014241512.tif 000008
【図７】
2014241512.tif 000009
【図８】
2014241512.tif 000010
【図９】
2014241512.tif 000011
【図１０】
2014241512.tif 000012
【図１１】
2014241512.tif 000013
【図１２】
2014241512.tif 000014
【図１３】
2014241512.tif 000015
【図１４】
2014241512.tif 000016
【図１５】
2014241512.tif 000017
【図１６】
2014241512.tif 000018
【図１７】
2014241512.tif 000019
【図１８】
2014241512.tif 000020